(57)【要約】ユーザー機器は、複数入力複数出力（ＭＩＭＯ）チャネルを複数のドメインに分解し、それぞれのドメインについてチャネル状態情報参照信号（ＣＳＩ−ＲＳ）を測定し、測定及びフィードバックフォーマットのリストに基づいてネットワークノードに送信するためのフィードバックフォーマットを選択するように構成され得る。ネットワークノードは、ユーザー機器に送信される伝送パラメーターを決定するためにフィードバックを使用し得る。【選択図】図４
2019537311.tif 000002
【特許請求の範囲】
【請求項１】
ネットワークノードデバイスであって、
プロセッサと、
前記プロセッサによって実行されると、動作の実施を容易にする実行可能命令を記憶するメモリと、
を備え、前記動作は、
ユーザー機器が複数入力複数出力チャネルを複数のドメインに分解したことを示す、該ユーザー機器から受信される信号に基づいて、前記ユーザー機器が前記複数のドメインを測定するために、チャネル状態情報参照信号リソースを構成することと、
前記ユーザー機器が前記複数のドメインの測定を容易にするために、前記チャネル状態情報参照信号リソースを示すメッセージを前記ユーザー機器に送信することであって、該メッセージは、フィードバックフォーマットの群を含むことと、
前記複数のドメインのために構成される前記チャネル状態情報参照信号リソースを使用してチャネル状態情報参照信号を送信することと、
前記ユーザー機器からフィードバックを受信することであって、該フィードバックは、フィードバックフォーマットの前記群から選択されたフィードバックフォーマットを含むことと、
前記フィードバックの復号に基づいて、該ネットワークノードと前記ユーザー機器との間の伝送についての伝送プロトコルを含む伝送パラメーターを決定することと、
を含む、ネットワークノードデバイス。
【請求項２】
前記動作は、前記伝送パラメーターを、前記ユーザー機器に送信することを更に含む、請求項１に記載のネットワークノードデバイス。
【請求項３】
前記ユーザー機器はワイヤレスデバイスを含む、請求項１に記載のネットワークノードデバイス。
【請求項４】
水平アンテナ要素及び垂直アンテナ要素を有するアンテナパネルを更に備える、請求項１に記載のネットワークノードデバイス。
【請求項５】
前記複数のドメインは、
相関されるアンテナ要素間の共分散に関連するＨドメイン及びＶドメインと、
複数のアンテナ下位群間の共位相に関連するＵドメインと、
を含む３つのドメインである、請求項１に記載のネットワークノードデバイス。
【請求項６】
前記フィードバックフォーマットは、前記複数のドメインについてのチャネル状態情報の指示子を含み、該指示子は前記伝送パラメーターを選択するために使用可能である、請求項１に記載のネットワークノードデバイス。
【請求項７】
前記フィードバックフォーマットは、ネットワークノードデバイスと前記ユーザー機器との間のチャネルの品質に適用可能なチャネル品質の指示子を含む、請求項１に記載のネットワークノードデバイス。
【請求項８】
前記フィードバックフォーマットは、前記ネットワークデバイスと前記ユーザー機器との間の異なる伝送の数を表すランク指示子を含む、請求項１に記載のネットワークノードデバイス。
【請求項９】
ユーザー機器であって、
プロセッサと、
前記プロセッサによって実行されると、動作の実施を容易にする実行可能命令を記憶するメモリと、
を備え、前記動作は、
複数入力複数出力チャネルを複数のドメインに分解することと、
該ユーザー機器が前記複数入力複数出力チャネルを前記複数のドメインに分解したことを示すメッセージをネットワークノードデバイスに送信することと、
前記ネットワークノードデバイスから受信されるチャネル状態情報参照信号リソース構成に基づいて前記複数のドメインについてチャネル状態情報参照信号を測定することと、
前記ネットワークノードデバイスから受信されたフィードバックフォーマットの群からフィードバックフォーマットを選択することであって、該フィードバックフォーマットは、該ユーザー機器と前記ネットワークノードデバイスとの間の伝送のための伝送プロトコルに関連することと、
前記フィードバックフォーマットに準拠するフィードバックを前記ネットワークノードデバイスに送信することと、
を含む、ユーザー機器。
【請求項１０】
前記複数のドメインは、
相関されるアンテナ要素間の共分散に関連するＨドメイン及びＶドメインと、
複数のアンテナ下位群間の共位相に関連するＵドメインと、
を含む、３つのドメインである、請求項９に記載のユーザー機器。
【請求項１１】
前記ネットワークノードデバイスに対する前記フィードバックフォーマットは、前記複数のドメインについてのチャネル状態情報の指示子を含み、該指示子は、前記ユーザー機器と前記ネットワークノードデバイスとの間の伝送のための伝送プロトコルを規定する伝送パラメーターの選択のために使用される、請求項９に記載のユーザー機器。
【請求項１２】
チャネル状態情報の前記指示子は、前記ユーザー機器と前記ネットワークノードデバイスとの間の信号の伝送のための複数入力複数出力行列に関連するコードブックエントリーを示す、請求項１１に記載の方法。
【請求項１３】
前記フィードバックフォーマットは、前記ネットワークノードデバイスとユーザー機器との間のチャネルの品質に適用可能なチャネル品質の指示子を含む、請求項９に記載のユーザー機器。
【請求項１４】
前記フィードバックフォーマットは、前記ネットワークノードデバイスと前記ユーザー機器との間の異なる伝送の数を表すランク指示子を含む、請求項９に記載のユーザー機器。
【請求項１５】
ユーザー機器が複数入力複数出力チャネルを複数のドメインに分解したことを示す、該ユーザー機器から受信される信号に基づいて、前記ユーザー機器が前記複数のドメインを測定するために、チャネル状態情報参照信号リソースを構成することと、
前記ユーザー機器が前記複数のドメインを測定するために、前記チャネル状態情報参照信号リソースを示すメッセージを前記ユーザー機器に送信することであって、該メッセージは、フィードバックフォーマットの群を表すフォーマット情報を更に含むことと、
前記複数のドメインのために構成される前記チャネル状態情報参照信号リソース上でチャネル状態情報参照信号を送信することと、
前記ユーザー機器からフィードバックを受信することであって、該フィードバックは、フィードバックフォーマットの前記群から選択されるフィードバックフォーマットを含むことと、
前記フィードバックを復号して、復号されたフィードバックをもたらすことと、
前記復号されたフィードバックに基づいて、前記ユーザー機器への信号の伝送についての伝送プロトコルを含む伝送パラメーターを選択することと、
前記伝送パラメーターを前記ユーザー機器に送信することと、
を含む、方法。
【請求項１６】
前記複数のドメインは３つのドメインであり、前記３つのドメインは、
相関されるアンテナ要素間の共分散に関連するＨドメイン及びＶドメインと、
複数のアンテナ下位群間の共位相調整に関連するＵドメインと、
を含む、請求項１５に記載の方法。
【請求項１７】
前記フィードバックフォーマットは、前記複数のドメインについてのチャネル状態情報の指示子を含み、前記伝送パラメーターの選択は前記指示子に基づく、請求項１５に記載の方法。
【請求項１８】
チャネル状態情報の前記指示子は、前記ユーザー機器と前記ネットワークデバイスとの間の信号の伝送のための複数入力複数出力行列に関連するコードブックエントリーを示す、請求項１７に記載の方法。
【請求項１９】
前記フィードバックフォーマットは、前記ネットワークデバイスと前記ユーザー機器との間の前記チャネルの品質に適用可能なチャネル品質の指示子を含む、請求項１５に記載の方法。
【請求項２０】
前記フィードバックフォーマットは、前記ネットワークデバイスと前記ユーザー機器との間の或る数の異なる伝送を表すランク指示子を含む、請求項１５に記載の方法。
【発明の詳細な説明】
【技術分野】
【０００１】
［関連出願の相互参照］
本出願は、「Generic CSI Framework Design for 5G MIMO」という名称の２０１６年９月２９日に出願された米国仮特許出願第６２／４０１，８５８号及び「CHANNEL STATE INFORMATION FRAMEWORK DESIGN FOR 5G MULTIPLE INPUT MULTIPLE OUTPUT TRANSMISSIONS」という名称の２０１６年１２月１２日に出願された米国非仮特許出願第１５／３７６，３７７号に対する優先権を主張し、それらの出願は引用することによりその全体が本明細書の一部をなす。
【０００２】
本出願は、包括的に、ワイヤレス通信の分野に関し、より具体的には、５Ｇネットワーク又は他の次世代ネットワーク用等の複数入力複数出力（ＭＩＭＯ：multiple input multiple output）技法用のチャネル状態情報（ＣＳＩ：Channel State Information）フィードバックフレームワークに関する。
【背景技術】
【０００３】
セルラー通信における無線技術は、１９８０年代のアナログセルラーシステムの開始以来、急速に成長し進化してきており、１９８０年代の第１世代（１Ｇ）から始まり、１９９０年代の第２世代（２Ｇ）、２０００年代の第３世代（３Ｇ）、及び２０１０年代の第４世代（４Ｇ）（時分割ＬＴＥ（ＴＤ−ＬＴＥ）、周波数分割複信ＬＴＥ（ＦＤＤ−ＬＴＥ）、高度拡張グローバルプラットフォーム（ＡＸＧＰ：advanced extended global platform）、ＬＴＥ  ａｄｖａｎｃｅｄ（ＬＴＥ−Ａ）、及びＴＤ−ＬＴＥ  ａｄｖａｎｃｅｄ（ＴＤ−ＬＴＥ−Ａ）、及び他のリリース等のロングタームエボリューション（ＬＴＥ：long term evolution）の派生形を含む）へと至る。セルラーネットワーク内のトラフィックの量は、膨大な量の成長及び拡張を経験してきており、こうした成長が減速することになるという兆候は全く存在しない。この成長が、人間によるだけでなく、互いに通信する増加する数のマシン、例えば、監視カメラ、スマート電気グリッド、センサー、家電機器及び接続されたホーム内の他の技術、並びにインテリジェント輸送システム（例えば、モノのインターネット（ＩＯＴ：Internet of Things））によるネットワークの使用を含むことになることが予想される。更なる技術成長は、４Ｋビデオ、拡張現実、クラウドコンピューティング、産業オートメーション、及びボイス・トゥー・ボイス（Ｖ２Ｖ：voice to voice）通信を含む。
【０００４】
その結果、次世代ネットワークにおける進歩は、大規模接続及び容量、拡張されたスループット及び能力、並びに、超低レイテンシーを提供するとともにその要因となるニーズによって牽引される。新無線（ＮＲ：New Radio）アクセスネットワークとも呼ばれ得る第５世代（５Ｇ）アクセスネットワークは、現在、開発されており、非常に広い範囲の使用事例及び要件を扱うことを期待され、とりわけ、モバイルブロードバンド（ＭＢＢ：mobile broadband）及びマシン型通信（例えば、ＩＯＴデバイスを含む）を備える。モバイルブロードバンドの場合、５Ｇワイヤレス通信ネットワークは、指数関数的に増加するデータトラフィックの需要を満たし、人々及びマシンが、実質上ゼロレイテンシーでギガビットデータレートを享受することを可能にすることを期待される。ロングタームエボリューション（ＬＴＥ）ネットワーク及びａｄｖａｎｃｅｄ  ＬＴＥネットワーク等の既存の第４世代（４Ｇ）技術と比較して、５Ｇは、既存の４Ｇネットワークより良好な速度及びカバレッジを提供し、低レイテンシーでの大幅に高いスループットを目標とし、より高い（例えば、６ギガヘルツ（Ｇｈｚ）より高い）搬送波周波数及びより広い帯域幅を利用する。また、５Ｇネットワークは、ネットワーク拡張性を数十万の接続まで増加させる。
【発明の概要】
【０００５】
本特許出願は、ｍｍ波（６ＧＨｚ超）及び６ＧＨｚ以下について使用するために適合され得る５Ｇシステム用の、非常に柔軟性がありかつ適応性があるＭＩＭＯフレームワークを提供し、それにより、全ての５Ｇシステムについて統一フレームワークを提供する。
【０００６】
ワイヤレスネットワークに関連する上述した背景は、単に、幾つかの現在の問題のコンテキスト上の概要を提供することを意図され、網羅的であることを意図されない。他のコンテキスト情報は、以下の詳細な説明を検討すると更に明らかになる場合がある。
【０００７】
本主題の開示の非制限的かつ非網羅的な実施形態は、以下の図を参照して述べられ、図において、同様の参照符号は、別途指定されない限り種々の図全体を通して同様の部品を指す。
【図面の簡単な説明】
【０００８】
【図１】ネットワークノード及びユーザー機器（ＵＥ：user equipment）がその中で主題の開示の種々の態様及び実施形態を実装し得る例示的なワイヤレス通信システムを示す図である。
【図２】典型的なＬＴＥネットワークにおけるネットワークノードとＵＥとの間のメッセージシーケンスチャートである。
【図３Ａ】アンテナパネルの種々の構成のうちの１つの構成を示す図であり、アンテナパネルは、Ｈ及びＶドメインにおいて異なる相関を有し得る。
【図３Ｂ】アンテナパネルの種々の構成のうちの１つの構成を示す図であり、アンテナパネルは、Ｈ及びＶドメインにおいて異なる相関を有し得る。
【図３Ｃ】アンテナパネルの種々の構成のうちの１つの構成を示す図であり、アンテナパネルは、Ｈ及びＶドメインにおいて異なる相関を有し得る。
【図４】本主題の開示の種々の態様及び実施形態によるネットワークノードとＵＥとの間のメッセージシーケンスチャートの例示的な概略システムブロック図であり、複数入力複数出力（ＭＩＭＯ）チャネルが複数ドメインに分解され得る。
【図５】Ｈ及びＶドメイン内に４つの送信機及びＵドメイン内に２つの送信機を備えるアンテナパネルを示す図である。
【図６】ユーザー機器と通信するように動作可能な２つの送受信ポイント（ＴＲＰ：transmit-receive point）を示す図である。
【図７】本主題の開示の種々の態様及び実施形態による、ネットワークノードによって実施され得る例示的な方法を示す図である。
【図８】本主題の開示の種々の態様及び実施形態による、ＵＥによって実施され得る例示的な方法を示す図である。
【図９】本主題の開示の種々の態様及び実施形態による、モバイルハンドセットであり得る例示的なユーザー機器の例示的なブロック図である。
【図１０】本主題の開示の種々の態様及び実施形態による、プロセス及び方法を実行するように動作可能であり得るコンピューターの例示的なブロック図である。
【発明を実施するための形態】
【０００９】
本主題の開示は、ここで、図面を参照して述べられ、図面において、同様の参照符号は、全体を通して同様の要素を指すために使用される。以下の説明及び添付図面は、本主題の幾つかの特定の例証的な態様を詳細に述べる。しかし、これらの態様は、本主題の原理が実施され得る種々の方法のほんの少数を示す。開示される主題の他の態様、利点、及び新規な特徴は、提供される図面と共に考えられると以下の詳細な説明から明らかになるであろう。以下の説明において、説明のために、多数の特定の詳細は、主題の開示の完全な理解を提供するために述べられる。しかし、主題の開示が、これらの特定の詳細なしで実施され得ることが明らかである場合がある。他の事例において、よく知られている構造及びデバイスは、主題の開示を述べるのを容易にするためにブロック図の形態で示される。
【００１０】
本出願の主題の開示は、複数入力複数出力（ＭＩＭＯ）チャネルを複数のドメインに分解し、送信されたチャネル状態情報参照信号（ＣＳＩ−ＲＳ：channel state information reference signal）に基づいてフィードバックフォーマットを選択し、伝送パラメーターを決定するために、提供されたフィードバックを使用するシステム及び方法（例示的なコンピューター処理システム、コンピューター実装式方法、装置、コンピュータープログラム製品等を含む）を述べる。本明細書で述べる方法（例えば、プロセス及びロジックフロー）は、本明細書で述べる動作の実施を容易にする機械実行可能命令を実行するプログラマブルプロセッサを備えるデバイス（例えば、ＵＥ、ネットワークノード等）によって実施され得る。こうしたデバイスの例は、図９及び図１０に記載する回路要素及びコンポーネントを備えるデバイスであり得る。
【００１１】
図１は、本主題の開示の種々の態様及び実施形態による例示的なワイヤレス通信システム１００を示す。例示的な実施形態において、システム１００は、１つ以上のワイヤレス通信ネットワークプロバイダーによってサービスされるワイヤレス通信ネットワークであるか又はワイヤレス通信ネットワークを備える。例示的な実施形態において、システム１００は、垂直及び水平要素を備える１つ以上のアンテナパネルを備え得る１つ以上のユーザー機器（ＵＥ）１０２（例えば、１０２１、１０２２．．．１０２ｎ）を備え得る。ＵＥ１０２は、モバイルフォン、スマートフォン、セルラー対応ラップトップ（例えば、ブロードバンドアダプターを備える）、タブレットコンピューター、ウェアラブルデバイス、仮想現実（ＶＲ：virtual reality）デバイス、ヘッドアップディスプレイ（ＨＵＤ：heads-up display）デバイス、スマートカー、マシン型通信（ＭＴＣ：machine-type communication）デバイス等の、任意のユーザー機器デバイスであり得る。ＵＥ１０２は、ワイヤレスで通信し得るＩＯＴデバイスも備え得る。ＵＥ１０２は、モバイル通信用グローバルシステム（ＧＳＭ：global system for mobile communications）システム内のモバイル局（ＭＳ：mobile station）におよそ対応する。そのため、ネットワークノード（例えば、ネットワークノードデバイス）は、ＵＥとより広いセルラーネットワークとの間の接続性を提供し、ネットワークノード１０４を介したＵＥとワイヤレス通信ネットワーク（例えば、以下でより詳細に述べる、１つ以上の通信サービスプロバイダーネットワーク１０６）との間のワイヤレス通信を容易にする。ＵＥ１０２は、ワイヤレスでネットワークノード１０４に対して通信データを送出及び／又は受信し得る。ネットワークノード１０４からＵＥ１０２への点線矢印ラインはダウンリンク（ＤＬ）通信を表し、ＵＥ１０２からネットワークノード１０４への実線矢印ラインはアップリンク（ＵＬ）通信を表す。
【００１２】
非制限的な用語、ネットワークノード（例えば、ネットワークノードデバイス）は、ＵＥ１０２にサービングする、及び／又は、他のネットワークノード、ネットワーク要素、又はＵＥ１０２がそこから無線信号を受信し得る別のネットワークノードに接続された任意のタイプのネットワークノードを指すために本明細書で使用され得る。典型的なセルラー無線アクセスネットワーク（例えば、ユニバーサル移動体通信システム（ＵＭＴＳ：universal mobile telecommunications system）ネットワーク）において、ネットワークノードは、ベーストランシーバー基地局（ＢＴＳ：base transceiver station）、無線基地局、無線ネットワークノード、基地局、ＮｏｄｅＢ、ｅＮｏｄｅＢ（例えば、ｅｖｏｌｖｅｄ  ＮｏｄｅＢ）等と呼ばれ得る。５Ｇ専門用語において、ノードは、ｇＮｏｄｅＢ（例えば、ｇＮＢ）デバイスと呼ばれ得る。ネットワークノードは、種々の伝送動作（例えば、ＭＩＭＯ動作）を実施するための複数のアンテナも備え得る。ネットワークノードは、キャビネット、並びに、他の保護されたエンクロージャー、アンテナマスト、及び実際のアンテナを備え得る。ネットワークノードは、アンテナの構成及び型に応じて、セクターとも呼ばれる幾つかのセルにサービングし得る。ネットワークノードの例（例えば、ネットワークノード１０４）は、ＮｏｄｅＢデバイス、基地局（ＢＳ：base station）デバイス、アクセスポイント（ＡＰ：access point）デバイス、及び無線アクセスネットワーク（ＲＡＮ：radio access network）デバイスを含み得るが、それに限定されない。ネットワークノード１０４は、マルチスタンダード無線（ＭＳＲ：multi-standard radio）無線ノードデバイスであって、ＭＳＲ  ＢＳ、ｅＮｏｄｅＢ、ネットワークコントローラー、無線ネットワークコントローラー（ＲＮＣ：radio network controller）、基地局コントローラー（ＢＳＣ：base station controller）、リレー、ドナーノード制御リレー、ベーストランシーバー基地局（ＢＴＳ）、伝送ポイント、伝送ノード、ＲＲＵ、ＲＲＨ、分散アンテナシステム（ＤＡＳ：distributed antenna system）内のノード等を含む、マルチスタンダード無線（ＭＳＲ）無線ノードデバイスも含み得る。
【００１３】
システム１００は、ネットワークノード１０４を介して、ＵＥ１０２を含む種々のＵＥにワイヤレス通信サービスを提供することを容易にする１つ以上の通信サービスプロバイダーネットワーク１０６、及び／又は、１つ以上の通信サービスプロバイダーネットワーク１０６内に含まれる種々の更なるネットワークデバイス（図示せず）を更に含み得る。１つ以上の通信サービスプロバイダーネットワーク１０６は、セルラーネットワーク、フェムトネットワーク、ピコセルネットワーク、マイクロセルネットワーク、インターネットプロトコル（ＩＰ：internet protocol）ネットワーク、Ｗｉ−Ｆｉサービスネットワーク、ブロードバンドサービスネットワーク、エンタープライズネットワーク、クラウドベースネットワーク等を含む種々の型の異種ネットワークを含み得る。例えば、少なくとも１つの実装態様において、システム１００は、種々の地理的エリアに及ぶ大規模ワイヤレス通信ネットワークであり得るか又は大規模ワイヤレス通信ネットワークを備え得る。この実装態様によれば、１つ以上の通信サービスプロバイダーネットワーク１０６は、ワイヤレス通信ネットワーク及び／又はワイヤレス通信ネットワークの種々の更なるデバイス及びコンポーネント（例えば、更なるネットワークデバイス及びセル、更なるＵＥ、ネットワークサーバーデバイス等）であり得るか又はそれらを備え得る。ネットワークノード１０４は、１つ以上のバックホールリンク１０８を介して１つ以上の通信サービスプロバイダーネットワーク１０６に接続され得る。例えば、１つ以上のバックホールリンク１０８は、Ｔ１／Ｅ１電話線、デジタル加入者線（ＤＳＬ：digital subscriber line）（例えば、同期又は非同期）、非同期ＤＳＬ（ＡＤＳＬ）、光ファイバーバックボーン、同軸ケーブル等の有線リンクコンポーネントを備え得る。１つ以上のバックホールリンク１０８は、限定はしないが、地上エアインターフェース又はディープスペースリンク（deep space links）（例えば、ナビゲーション用の衛星通信リンク）を含み得る見通し線（ＬＯＳ：line-of-sight）又は非ＬＯＳリンク等のワイヤレスリンクコンポーネントも含み得る。
【００１４】
ワイヤレス通信システム１００は、種々のセルラー技術及び変調スキームを使用して、デバイス（例えば、ＵＥ１０２及びネットワークノード１０４）間のワイヤレス無線通信を容易にし得る。例えば、システム１００は、ＵＭＴＳ、ロングタームエボリューション（ＬＴＥ）、高速パケットアクセス（ＨＳＰＡ：high speed packet access）、符号分割多重アクセス（ＣＤＭＡ：code division multiple access）、時分割多重アクセス（ＴＤＭＡ：time division multiple access）、周波数分割多重アクセス（ＦＤＭＡ：frequency division multiple access）、マルチキャリア符号分割多重アクセス（ＭＣ−ＣＤＭＡ：multi-carrier code division multiple access）、シングルキャリア符号分割多重アクセス（ＳＣ−ＣＤＭＡ：single-carrier code division multiple access）、シングルキャリアＦＤＭＡ（ＳＣ−ＦＤＭＡ：single-carrier FDMA）、直交周波数分割多重（ＯＦＤＭ：orthogonal frequency division multiplexing）、離散フーリエ変換拡散ＯＦＤＭ（ＤＦＴ拡散ＯＦＤＭ：discrete Fourier transform spread OFDM）、シングルキャリアＦＤＭＡ（ＳＣ−ＦＤＭＡ：single carrier FDMA）、フィルターバンクベースマルチキャリア（ＦＢＭＣ：Filter bank based multi-carrier）、ゼロテイルＤＦＴ拡散ＯＦＤＭ（ＺＴ  ＤＦＴ−ｓ−ＯＦＤＭ：zero tail DFT-spread-OFDM）、汎用周波数分割多重（ＧＦＤＭ：generalized frequency division multiplexing）、フィックスドモバイルコンバージェンス（ＦＭＣ：fixed mobile convergence）、ユニバーサルフィックスドモバイルコンバージェンス（ＵＦＭＣ：universal fixed mobile convergence）、ユニークワードＯＦＤＭ（ＵＷ−ＯＦＤＭ：unique word OFDM）、ユニークワードＤＦＴ拡散ＯＦＤＭ（ＵＷ  ＤＦＴ拡散ＯＦＤＭ：unique word DFT-spread OFDM）、サイクリックプレフィックス（cyclic prefix）ＯＦＤＭ  ＣＰ−ＯＦＤＭ、及びリソースブロックフィルタード（resource-block-filtered）ＯＦＤＭに従って動作し得る。しかし、システム１００の種々の特徴及び機能が特に述べられ、システム１００のデバイス（例えば、ＵＥ１０２及びネットワークデバイス１０４）は、データシンボルが複数の周波数サブキャリアを通じて同時に伝送され得る１つ以上のマルチキャリア変調スキーム（例えば、ＯＦＤＭ、ＣＰ−ＯＦＤＭ、ＤＦＴ拡散ＯＦＭＤ、ＵＦＭＣ、ＦＭＢＣ等）を使用してワイヤレス信号を通信するように構成される。
【００１５】
種々の実施形態において、システム１００は、５Ｇワイヤレスネットワーク接続特徴及び機能を提供し使用するように構成され得る。５Ｇワイヤレス通信ネットワークは、指数関数的に増加するデータトラフィックの需要を満たし、人々及びマシンが、実質上ゼロレイテンシーでギガビットデータレートを享受することを可能にすることを期待される。４Ｇと比較して、５Ｇは、より多様性のあるトラフィックシナリオをサポートする。例えば、４Ｇネットワークによってサポートされる従来のＵＥ（例えば、電話、スマートフォン、タブレット、ＰＣ、テレビジョン、インターネット対応テレビジョン等）間の種々の型のデータ通信に加えて、５Ｇネットワークは、無人運転車環境及びマシン型通信（ＭＴＣ）に関連するスマートカー間のデータ通信をサポートするために使用され得る。これらの異なるトラフィックシナリオの極端に異なる通信ニーズを考慮して、マルチキャリア変調スキーム（例えば、ＯＦＤＭ及び関連するスキーム）の利益を保持しながら、トラフィックシナリオに基づいて波形パラメーターを動的に構成する能力は、５Ｇネットワークの高い速度／能力及び低レイテンシー要求に対する有意の寄与を提供し得る。帯域幅を幾つかの部分帯域に分割する波形を用いて、異なる型のサービスが、最も適した波形及びニューメロロジー（numerology）を有する異なる部分帯域内に収容され、５Ｇネットワークについて改善されたスペクトル利用をもたらし得る。
【００１６】
データセントリックアプリケーションについての要求を満たすために、提案される５Ｇネットワークの特徴は、増加したピークビットレート（例えば、２０Ｇｂｐｓ）、単位エリア当たりのより大きなデータ量（例えば、高いシステムスペクトル効率、例えば、ロングタームエボリューション（ＬＴＥ）システムのスペクトル効率の約３．５倍）、同時にかつ瞬時により高いデバイス接続性を可能にする高い能力、より低い電池／電力消費（エネルギー及び消費コストを低減する）、ユーザーが位置する地理的領域によらないより良好な接続性、より多くの数のデバイス、より低いインフラストラクチャ開発コスト、及び通信のより高い信頼性を含み得る。そのため、５Ｇネットワークは、数十メガビット／秒のデータレートが数万のユーザーのためにサポートされるべきであること、同じオフィスフロア上の数十人の作業者に同時に提供される１ギガビット／秒、例えば；大規模センサー配備のためにサポートされる数十万の同時接続；改善されたカバレッジ、向上したシグナリング効率；ＬＴＥと比較して減少したレイテンシーを可能にし得る。
【００１７】
来るべき５Ｇアクセスネットワークは、容量の増加を支援するためにより高い周波数（例えば、６ＧＨｚ超）を利用し得る。現在、ミリメートル波（ｍｍ波）のスペクトル、すなわち３０Ｇｈｚ〜３００Ｇｈｚのスペクトルの帯域の大半は十分に活用されていない。ミリメートル波は、１０ミリメートルから１ミリメートルに及ぶより短い波長を有し、これらのミリ波信号は、深刻な経路損失、侵入損失（penetration loss）、及びフェージングを受ける。しかし、ｍｍ波信周波数におけるより短い波長は、より多くのアンテナが同じ物理的寸法内にパックされることも可能にし、それにより、大規模空間多重化及び高指向性ビームフォーミングを可能にする。
【００１８】
ネットワークノードとＵＥとの間の性能は、送信機及び受信機が共に複数のアンテナを装備する場合に改善され得る。マルチアンテナ技法は、ワイヤレス通信システムのデータレート及び信頼性を著しく増加させ得る。ＭＩＭＯ技法の使用は、ｍｍ波通信を改善し得る。第３世代パートナーシッププロジェクト（３ＧＰＰ：third generation partnership project）に導入され、使用されているＭＩＭＯ（ＬＴＥを含む）は、ワイヤレス無線通信のための送信と受信との両方の機器において複数の送信アンテナ及び複数の受信アンテナを備えるマルチアンテナ技法の使用を含む。ＭＩＭＯは、より高い周波数で動作するアクセスネットワークについて１つの重要なコンポーネントとして広く認識されてきた。送信ダイバーシティ（transmit diversity）（又は空間ダイバーシティ）に加えて、空間多重化（開ループと閉ループとの両方を備える）、ビームフォーミング、及びコードブックベースプレコーディング等の他の技法は、効率、干渉、及びレンジ等の通信問題にも対処する。
【００１９】
一技法において、ＵＥは、参照信号をネットワークノードに返送し得る。ネットワークノードは、ＵＥから、受信された参照信号を採取し、見通し線内のオブジェクト、天候、移動、干渉等のような種々の因子によって影響を受ける可能性があるチャネルの状態を推定し、より多くの問題（例えば、干渉）を補正した後に、ＵＥに送信するそれぞれのアンテナについてのビームフォーミングレートを調整し、より良好なビームをＵＥに向かって送信するためにパラメーターを変更する。ＭＩＭＯスキームを選択し、ビームフォーミングを使用して、エネルギーを収束させ、変化するチャネル状態に適応するこの能力は、より高いデータレートを可能にし得る。
【００２０】
図２は、典型的なスキームの別の例についてのシーケンスチャート２００を示し、ユーザー機器（例えば、ＵＥ１０２）は、ネットワークノード（例えば、ネットワークノード１０４）からの参照信号を評価することによって伝送パラメーターを決定し、チャネル特性を評価し、ＣＳＩフィードバックをネットワークノードに返送し得る。ネットワークノード１０４は、その後、フィードバックを処理し、そのアンテナ要素のそれぞれについてレート及び位相シフトを調整し、ＵＥ１０２の方向に波面を収束させる信号のアレイを送出し、それにより、ＵＥ１０２に対するより高いデータレートを可能にする。
【００２１】
図２において、ネットワークノード１０２は、トランザクション（１）にて、ビームフォーミングされたもの又はビームフォーミングされていないものであり得る参照信号（ＲＳ：reference signal）をＵＥ１０２に送信し得る。参照信号は、ＵＥ１０２のプロファイル又は何らかの型のモバイル識別子に関連するセル固有又は復調参照信号（例えば、ユーザー機器固有参照信号）であり得る。ＣＳＩ参照信号（ＣＳＩ−ＲＳ）は、チャネル状態情報（ＣＳＩ）及びビーム固有情報（ビームＲＳＲＰ）を取得するために端末によって使用されることを特に意図される。復調参照信号（ＤＭ−ＲＳ：Demodulation reference signals）は、データチャネルについてのチャネル推定のために端末によって使用されることを特に意図される。ラベル「ＵＥ固有（UE-specific）」は、それぞれの復調参照信号が単一端末によるチャネル推定のために意図されることに関連する。その固有参照信号は、その場合、その端末へのデータトラフィックチャネル送信のために割当てられたリソースブロック内でのみ送信される。
【００２２】
この参照信号を受信した後、ブロック２０２にて、ＵＥ１０２は、参照信号を評価し、ＣＳＩを計算し、ＣＳＩは、ＣＳＩフィードバック（例えば、ＣＳＩレポート）としてネットワークノードに送信され得る。ＣＳＩフィードバックは、チャネル品質の指示子（例えば、ＬＴＥ用語におけるチャネル品質指示子（ＣＱＩ：channel quality indicator））、ＣＳＩの指示子（例えば、ＬＴＥ用語におけるプレコーディング行列指示子（ＰＭＩ：precoding matrix indicator））、ランクの指示子（例えば、ＬＴＥ用語におけるランク指示子）、最良部分帯域インデックス、最良ビームインデックス等を含み得る。
【００２３】
チャネル品質の指示子は、例えば、ネットワークノードとＵＥとの間のチャネルの品質に関連し得るＣＱＩであり得る。
【００２４】
ＣＳＩ（例えば、ＰＭＩ）の指示子は、ネットワークノードとＵＥとの間で送信される異なるデータストリームについての伝送パラメーターの選択のために使用され得る（例えば、ＣＳＩの指示子は、ＬＴＥにおいてプレコーディング行列指示子ＰＭＩと呼ばれるものと同様であり得、同様な方法で使用され得る）。コードブックベースプレコーディングを使用する技法において、ネットワークノード及びＵＥは、標準仕様において見出され得る異なるコードブックを使用し、標準仕様のそれぞれは、異なる型のＭＩＭＯ行列（例えば、２×２ＭＩＭＯについてのプレコーディング行列のコードブック）に関連する。コードブックは、基地局及びＵＥサイトにおいて知られており（含まれており）、ネットワークノードのプレコーディングステージにおいて信号で乗算されるプレコーディングベクトル及び行列のエントリーを含み得る。これらのコードブックエントリーのどのコードブックエントリーを選択するかについての意思決定は、ＣＳＩが受信機において知られているが、送信機において知られていないため、ＵＥによって提供されるＣＳＩフィードバックに基づいてネットワークノードにおいて行われる。参照信号の評価に基づいて、ＵＥは、適切なコードブックの中から、適したプレコーディング行列についての推奨を含むフィードバックを送信する。プレコーディング行列を識別するこのＵＥフィードバックは、ＵＥがこれらのコードブックエントリーのうちの１つのコードブックエントリーを指すプレコーディング行列指示子（ＰＭＩ）と呼ばれる。ＵＥは、どのプレコーディング行列が、ネットワークノードとＵＥとの間で送信するのにより適することになるかをこうして評価する。
【００２５】
また、ＣＳＩフィードバック内に、チャネル行列のランクの指示を提供するランク指示子（ＲＩ：rank indicator）が含まれ、ランクは、ネットワークノードとＵＥとの間で並列に送信される異なる送信データストリーム（レイヤー）の数（換言すれば、空間レイヤーの数）である。ＲＩは、ＣＳＩレポーティングメッセージの残りのフォーマットを決定する。一例として、ＬＴＥの場合、ＲＩが１であるとレポートされると、ランク１コードブックＰＭＩが、１つのＣＱＩと共に送信されることになり、ＲＩが２であると、ランク２コードブックＰＭＩ及び２つのＣＱＩが送信されることになる。ＲＩがＰＭＩ及びＣＱＩのサイズを決定することから、ＲＩは、別々に符号化されるため、受信機は、ＲＩを最初に復号し、次に、それを使用して、ＣＳＩの残り（述べたように、情報のなかでもとりわけ、ＰＭＩ及びＣＱＩを含む）を復号し得る。
【００２６】
依然として図２を参照すると、ＣＳＩフィードバックを計算した後、ＵＥ１０２は、参照信号がそこから送出されたチャネルと別個のチャネルであり得るフィードバックチャネルを介して、ＣＳＩフィードバックをトランザクション（２）にて送信し得る。ネットワークノードは、ＣＳＩフィードバックを処理して、伝送スケジューリングパラメーター（例えば、ダウンリンク（ＤＬ）伝送スケジューリングパラメーター）を決定し得る。伝送スケジューリングパラメーターは、ＵＥ１０２に特有のネットワークノードデバイスによる信号の変調及びコーディングに適用可能な変調及びコーディングパラメーターを含む。
【００２７】
ネットワークノード１０４によるＣＳＩフィードバックのこの処理は、図２のブロック２０４に示すように、ＣＳＩフィードバックを復号することを含み得る。ＵＥは、ＲＩを復号し、次に、復号された情報（例えば、ＣＳＩの得られたサイズ）を使用して、ＣＳＩの残り（例えば、ＣＱＩ、ＰＭＩ等）を復号し得る。ネットワークノード１０４は、復号されたＣＳＩフィードバックを使用して、伝送パラメーターであって、ネットワークノード１０４と、ＵＥ１０２、電力、物理的リソースブロック（ＰＲＢ：physical resource block）等との間の異なる伝送の変調及びコーディングに適用可能な変調及びコーディングスキーム（ＭＣＳ：modulation and coding scheme）を含み得る、伝送パラメーターを決定する。
【００２８】
ネットワークノード１０４は、トランザクション（３）にてダウンリンク制御チャネルを介してＵＥ１０２にパラメーターを送信し得る。その後及び／又は同時に、トランザクション（４）にて、トラフィックデータ（テキスト、電子メール、ピクチャー、オーディオファイル、ビデオ等に関連するデータ等の非制御データ）が、データトラフィックチャネルを介してネットワークノード１０４からＵＥ１０２に転送され得る。
【００２９】
注目すべきことには、ＬＴＥは、幾つかのＣＳＩフィードバックモードを有する複数のＭＩＭＯ伝送モードを有するが、これらのフィードバックモードは、ＭＩＭＯチャネル全体の評価に基づく。ＬＴＥ  ＣＳＩフィードバックフレームワークにおいて、ＣＳＩ−ＲＳ構成、測定、ＣＳＩレポーティング、及びスケジュールされたマルチアンテナスキームは、伝送モードの保護の下で、密結合する。また、ＬＴＥコードブックは、特定のアンテナ設計（共同設置された２Ｄ平面アレイ）に合うように設計され、したがって、種々の他のアンテナ構成を必ずしも説明しない。ＧＯＢ（格子梁（grid of beam））ベース設計は、低い散乱を有する環境に好適であるが、他の環境には適さない。ＭＵ（複数ユーザー）セントリックフィードバックを組込むことは冗長である可能性があり、ＲＳ設計は、特に、アンテナの数に応じて、ＣＳＩ−ＲＳポートが増加するため、スケーラブルでない。
【００３０】
本特許出願による例示的な実施形態において、ＭＩＭＯチャネルの水平、垂直、及び無相関ドメインを考慮するＣＳＩフィードバックフレームワークが提供される。このフレームワークにおいて、ＭＩＭＯチャネルを全体として評価する代わりに、全体的なＭＩＭＯチャネルは、チャネル共分散（ネットワークノードのアンテナによって決定される）の構造に基づいて、３つのドメインに分解される。これらのチャネル共分散は、水平ドメイン（Ｈドメイン）におけるチャネル共分散、垂直ドメイン（Ｖドメイン）におけるチャネル共分散、及び無相関ドメイン（Ｕドメイン）におけるチャネル共分散である。Ｈ及びＶドメインが使用されて、アンテナパネル上に水平及び垂直要素を備える相関されるアンテナ間のチャネル共分散を記述し得、一方、Ｕドメインが使用されて、サブパネル等の複数アンテナ下位群間の共位相及び／又は偏波を記述し得る。それぞれのドメインは、プレコーディング行列指示子（ＰＭＩ）が（時間及び周波数において）どのように変化するか、及び、よりよく適する場合があるプレコーダーの型を特徴付ける。Ｈ、Ｖ、及びＵドメインは、
【数１】
2019537311.tif 000003
としてチャネル共分散の構造によって識別される。上記式において、ＮＶ、ＮＨ、及びＮＵは、Ｈ、Ｖ、及びＵドメインにおける自由度の数である。また、ＮＶ×ＮＨ×ＮＵは、送信アンテナ（例えば、ＴＸ。ただし、アンテナは受信することもできるので、したがって、ＴＸＲＸとも略称され得ることも留意される）の総数に等しい。３つのドメイン内のＣＳＩフィードバックは、アンテナ構造（特に、アンテナ要素間の相関）並びにチャネル角発散に非常に関連するＭＩＭＯチャネル行列の共分散を特徴付ける。異なるドメインについて、Ｈ及びＶドメインが、相関される距離内のアンテナ間のチャネル応答を表す、又は、Ｕドメインが、無相関アンテナの間のチャネル（例えば、異なるサブパネル、異なる交差偏波、又はさらに、異なる送信・受信ポイント（ＴＲＰ：transmit-receive point）におけるアンテナ）の周りにある点で、ＣＳＩフィードバック型及び量子化法は異なる可能性がある。
【００３１】
それぞれのドメインについてのＣＳＩフィードバックの例は、次の通りであり得る。すなわち、ロングタームフィードバックを有する広帯域離散フーリエ変換（ＤＦＴ）ベースプレコーダーは、Ｈ及びＶドメインについてより好適である（例えば、より少ないビットをこのドメインに割当てる）か、又は、ショートタームフィードバックを有する部分帯域グラスマンラインパッキング／ランダムベクトル量子化（ＧＬＰ／ＲＶＱ：Grassmannian Line Packing/ Random Vector Quantization）は、Ｕドメインについてより好適である（例えば、より多くのビットをこのドメインに割当てる）。また、Ｈ及びＶドメインについてのフィードバックフォーマット及びペイロードビットは異なり得る。例えば、アンテナパネルが、少数の垂直アンテナ要素を同様に備えながら、多数の水平アンテナ要素を有する場合、両方のフィードバックが共に、ＤＦＴコードブックを使用していても、Ｈフィードバックは、Ｖフィードバックより多くのフィードバックビットを必要とする。
【００３２】
図３は、図３Ａ、図３Ｂ、及び図３Ｃのようにラベル付けされた３つのアンテナ構成の例を示す。図３Ａは、２×４×２構成を備えるアンテナパネルを示し、パネルは、それぞれの水平における２つの要素、それぞれの垂直における４つの要素、及び２つの偏波（例えば、それぞれの要素の２つの部分要素の間）を備える。図３を参照すると、Ｖドメインは、同じ方向における（例えば、同じ角度における）垂直部分要素の相関を説明し、Ｈドメインは、同じ方向における（例えば、同じ角度における）水平部分要素の相関を説明する。図３Ａにおいて、水平要素は相関を維持し、したがって、フィードバックフォーマットを決定するときに割当てビットであり得る。
【００３３】
図３Ｂにおいて、２つのアンテナパネルはそれぞれ、１×４×２（１つの水平要素、４つの垂直要素、２つのＵドメイン部分要素）である。ここで、Ｈドメインは、水平におけるそれぞれの要素間の距離の増加によって相関が低くなり（例えば、より無相関化する）、したがって、Ｈドメインがより少ないビットを割当てられるフィードバックフォーマットが選択され得る。
【００３４】
図３Ｃにおいて、４つのパネルを備えるアンテナアレイ構成が示され、それぞれのパネルは、１×２×２（１つの水平、４つの垂直、２つのＵ）を備える。ここで、垂直及び水平ドメインは共に、アンテナパネル、したがって、アンテナ要素の間の距離によって或る程度の相関を喪失する。
【００３５】
ユーザー機器（例えば、ＵＥ１０２）は、ＭＩＭＯチャネルを、水平、垂直、及び無相関ドメインに最初に分解し得、アンテナの物理的構成は、Ｈ、Ｖ、及びＵドメインのそれぞれにおけるチャネル状態に影響を及ぼし得る。このフレームワークにおいて、ネットワークノード（例えば、ｇＮＢノードであり得るネットワークノード１０４）は、それぞれのドメインについてＣＳＩ−ＲＳリソースの異なるセットを測定するようにＵＥを構成する。ＣＳＩ−ＲＳリソースは、ＯＦＤＭ（直交周波数分割多重）信号の時間周波数格子内の全てのポートについてのチャネル状態参照情報参照信号（ＣＳＩ−ＲＳ）のロケーションである。ＵＥは、Ｎ個のＣＳＩ−ＲＳがどこに位置するかを知るべきである。ここで、Ｎは、ＵＥが測定しているアンテナの数である。この知識がない状態では、ＵＥは、これらの信号のためにどこを探すべきかわからないことになる。異なるドメインについての異なるＣＳＩ−ＲＳの時間周波数粒度（time-frequency granularity）が異なり得る（例えば、他のドメインと比較して１つのドメインについての密なＲＳ）ことに留意されたい。ＣＳＩ−ＲＳ（ＣＳＩ参照信号）は、ＣＳＩを測定するために使用される参照信号（ＲＳ）である。マルチアンテナシステムにおいて、１アンテナポート当たりに、受信機が測定する必要があるＣＳＩ−ＲＳが１つ存在し得る。そのため、受信機が８つのアンテナポートを測定する必要がある場合、８つのＲＳが使用され得る。
【００３６】
ネットワークノードは、ＵＥがそこから選択することができる幾つかの候補フィードバックフォーマットを更に構成する。フィードバックフォーマットは、ＣＳＩの種々のコンポーネント（ＣＱＩ、ランク、ビームフォーミング重み（beamforming weight）等）がどのようにフィードバックとして送出されるかの指示子である。通常、構成される候補フィードバックフォーマットは、全てのフィードバックが、同じアップストリームリンク（ＵＬ）フィードバックチャネルに適合することができるように、同様の数の総合負荷ビットを有する。このコンテキストにおけるフィードバックフォーマットは、含まれるそれぞれのドメイン及び／又はＣＱＩ内にＣＳＩフォーマットを含む。フィードバックフォーマットは、ドメインのうちのどのドメインが部分帯域フィードバックを有するか、及び、どのドメインが広帯域フィードバックを有するかも示し得る。チャネル品質情報は、伝送仮説（すなわち、これが伝送スキームであると仮定して、この仮定に基づいてチャネル品質を計算する）に関連付けられ得る。以下の表１は１つのこうしたフィードバックフォーマットの例を示す。
【表１】
2019537311.tif 000004
【００３７】
（例えば、ＣＳＩ−ＲＳの送信によって）トリガーされると、ＵＥは、それぞれのドメインについて構成されるＣＳＩ−ＲＳリソースを測定し、前もってネットワークノードによって構成された（そして、ＵＥに送出された）候補セットからＣＳＩフィードバックフォーマットを選択し得る。フィードバックＣＳＩを提供するとき、ＵＥは、選択されたＣＳＩフォーマットのインデックス（例えば、フォーマットインデックス）と、それに続いて、ＣＳＩフィードバックのペイロードとをレポートする。選択されたフィードバックフォーマットは、ペイロードビットと共に、しかし、別個の符号化によってｇＮＢに示され得る。そのため、ｇＮＢは、実際のペイロードビットのフォーマットを理解するためにフォーマットインデックスを復号し得る。最終的なフィードバックは、フォーマットインデックス及び同様にフィードバックペイロードビットを含み得る。
【００３８】
そのため、ＭＩＭＯチャネルは３つのドメインに分割され得、それぞれのドメインはそれ自身のＣＳＩ−ＲＳリソース（例えば、ネットワークノードによって構成される）を有する。このフレームワークは、ＭＩＭＯチャネル全体についてジョイントＣＳＩ−ＲＳリソースを選択することよりも少ないオーバーヘッドを含み得る、或る特定の自由度をＵＥに与えて、ネットワークノード（例えば、ｇＮＢ）によって提供されるフィードバックフォーマットの候補セットからよりよいフィードバックを選択し得る、したがって、ネットワークノードが異なるドメイン間でフィードバックペイロードビットを必要に応じて調整できるため、フィードバック効率を上げ得る。また、このフレームワークは、マルチ送信受信ポイント協調マルチ伝送（multi-transmit receive point coordinate multi-transmission）（例えば、ｍｕｌｔｉ−ＴＲＰ  ＣｏＭＰ）シナリオをサポートするために容易に拡張され得る。
【００３９】
ネットワークノードとＵＥとの間のＭＩＭＯチャネルが、水平、垂直、及び無相関ドメインに分解され得る例示的な実施形態によれば、図４は、ネットワークノード（例えば、ネットワークノード１０４）とＵＥ（例えば、ＵＥ１０２）との間のシーケンスチャート４００を示す。
【００４０】
ブロック４０５にて、ＵＥ１０２はＭＩＭＯチャネルを３つのドメインに分解する。ＵＥ１０２は、所定の期間にわたって全ＣＳＩ−ＲＳ（ネットワークノード１０４のそれぞれのＴＲＸ又はアンテナ要素は、異なるＣＳＩ−ＲＳを使用し、全体のチャネルをＵＥにさらす）を受信し評価して、分解を判定する。
【００４１】
シーケンスチャート４００のトランザクション（１）にて、ＵＥ１０２は、ＵＥ１０２がＭＩＭＯチャネルを複数のドメインに分解したことを示すメッセージをネットワークノード１０４に送信し得る。任意選択で、ＵＥ１０２は、フィードバックビットの総数から何ビットをＵＥ１０２がそれぞれのドメインのために予約することを望むかの或る指示も送出し得る。
【００４２】
ＵＥ１０２がＭＩＭＯチャネルを複数のドメインに分解したことを示すメッセージをＵＥ１０２から受信した後、ブロック４１０にて、ネットワークノード１０４（例えば、ｇＮＢ）は、ＵＥ１０２が複数のドメインのそれぞれのドメイン上で測定するために別個のＣＳＩ−ＲＳリソースを構成し得る。
【００４３】
ネットワークノード１０４は、シーケンスチャート４００のトランザクション（２）にて、ＵＥ１０２が複数のドメイン上で測定するためのＣＳＩ−ＲＳリソースを示すメッセージをＵＥ１０２に送信する（例えば、ＵＥ１０２は、参照信号がＵＥ１０２に送信されるときに、どのドメインを聴取するかについての指示を与えられ得る）。ネットワークノード１０４は、それぞれのドメインについて１つのＣＳＩ−ＲＳリソースを構成し得る。示されるＣＳＩ−ＲＳリソースは、ネットワークノード１０４におけるアンテナ（複数の場合もある）の構成に依存することになる。異なるドメインについての異なるＣＳＩ−ＲＳの時間周波数粒度は異なり得る（例えば、他のドメインと比較して１つのドメインについての密なＲＳ）。送信されたこのメッセージは、例えば、ＲＲＣ（無線リソースコントローラー（radio resource controller））構成メッセージの形態であり得る。また、このＲＲＣメッセージは、ＵＥ１０２がそこから選択するフィードバックフォーマット又はフィードバックフォーマットのセットを含み得る。構成される候補フィードバックフォーマットは、全てのフィードバックが、同じアップリンク（ＵＬ）フィードバックチャネルに適合できるように、同様の総合負荷ビットを有し得る。このコンテキストにおけるフィードバックフォーマットは、含まれるそれぞれのドメイン及び／又はＣＱＩ内にＣＳＩフォーマットを含み、チャネル品質情報は、伝送仮説（例えば、これが伝送スキームであると仮定する−この仮定に基づいてチャネル品質を計算する）に関連付けられ得る。
【００４４】
ネットワークノード１０４（例えば、ｇＮＢ）は、トランザクション（３）にて、それぞれのドメインについて構成されたＣＳＩ−ＲＳリソース上でＣＳＩ−ＲＳを送信し得る。それぞれのドメインは、互いに独立に送出される場合があり、それらのタイミングは関連しない場合がある。これらの参照信号は、ビームフォーミングされたもの又はビームフォーミングされていないものであり得、セル固有又は復調参照信号（例えば、ＵＥ固有参照信号）であり得る。
【００４５】
ブロック４１５にて、ＵＥは、ネットワークノード１０４から受信されるＣＳＩ−ＲＳリソース構成に基づいて複数のドメインのそれぞれのドメインについてＣＳＩ−ＲＳを測定する。ＵＥはＣＳＩを計算し、フィードバックフォーマット（その例は以下で述べられる）を選択する。フィードバックフォーマットは、それぞれのドメインに関連するＣＳＩ（例えば、ランクの指示（ＲＩ）、チャネル品質の指示子（例えば、ＬＴＥにおけるＣＱＩ）、ＣＳＩの指示子（例えば、ＬＴＥにおけるＰＭＩ）、最良部分帯域インデックス、最良ビームインデックス等）を含む。
【００４６】
依然として図４を参照すると、ＵＥ１０２は、トランザクション（４）にて、フィードバックをネットワークノード１０４に送出する。フィードバックは、ＣＳＩを含む、選択されたフィードバックフォーマットを含む。フィードバックは全フィードバック（例えば、ドメイン及びランク及びＣＱＩ全て一緒）であり得るか、又は、フィードバックは部分フィードバックであり得る。部分フィードバックの場合、ドメインのサブセットのみが送出され得る（これはフィードバックフォーマットに依存し得る）。選択されたフィードバックフォーマットは、フォーマットインデックスの形態でネットワークノード１０４に示され、ペイロードビット（別個の符号化を含むペイロードビット）と共に送出され得る。
【００４７】
ブロック４２０にて、ネットワークノード１０４は、複数ドメインについてのＣＳＩフィードバックを含むフィードバックフォーマットを含むフィードバックをＵＥ１０２から受信し得る。ＵＥ１０２に送信するための伝送パラメーターは、復号されたフィードバックに基づいてそれぞれのドメインについて決定され得る。その伝送パラメーターは、ネットワークノードと、ＵＥ、電力、物理的リソースブロック（ＰＲＢ）等との間の異なる伝送の変調及びコーディングに適用可能な変調及びコーディングスキーム（ＭＣＳ）を含み得る。ネットワークノード１０４は、実際のペイロードビットのフォーマットを理解するためにフォーマットインデックスを復号し得る。
【００４８】
伝送スケジューリングパラメーター（ここでは、よりドメイン固有である）を決定するために、復号されたフィードバックを使用した後、ネットワークノード１０４は、トランザクション（５）にて、ダウンリンク制御チャネルを介してＵＥ１０２にスケジューリングパラメーターを送信し得る。
【００４９】
その後、トランザクション（６）にて、ネットワークノード１０４は、データトラフィックチャネルを介してＵＥ１０２にトラフィックデータ（例えば、テキスト、電子メール、ピクチャー、ムービー等のような非制御データ）を送信し始めることができる。
【００５０】
図５は、ネットワークノードアンテナが４×４×２構成を有する、異なるドメインにおいて適応的フィードバックオーバーヘッドを有する基本的なＭＩＭＯフィードバックを使用する場合の例に関する。このパネルの場合、ネットワークノード（例えば、ｇＮＢであり得るネットワークノード１０４）は、Ｈドメイン及びＶドメインそれぞれにおいて４つのＴｘ  ＣＳＩ−ＲＳを、そして、Ｕドメイン（２つの偏波）において２つのＴｘ  ＣＳＩ−ＲＳポートを構成し得る。アンテナポートは図５に示される。ＵＥがそこから選択し得る種々のフィードバックフォーマットは以下に示される。表２に見られ得るように、同じアンテナ構成の場合でも、幾つかの例示的なフォーマットが、ＭＩＭＯチャネルの複数ドメインの状態に応じて選択され得る。どのフィードバックフォーマットがより適するかに応じて、ＵＥが、以下のフィードバックフォーマットのうちの１つを選択することができることが留意される。
【表２】
2019537311.tif 000005
【００５１】
図６は、分散ＭＩＭＯ協調マルチポイント（ＣｏＭＰ：coordinate multipoint）フィードバックを備える場合の例に関し、ＵＥデバイス１０２は２つのＴＲＰ（送信及び受信ポイント（Transmit and Receive Points））から信号を受信し得る。それぞれのＴＲＰについて、ネットワークノード１０４は、Ｈドメインにおいて２つのＴｘ  ＣＳＩ−ＲＳを、Ｖドメインにおいて４つのＴｘを、そして、Ｕドメイン（２つの偏波）において２つのＴｘ  ＣＳＩ−ＲＳポートを構成し得る。アンテナポートは図６に示される。幾つかの例示的なフィードバックフォーマットは、以下の表３に示すように、複数のドメインについてのＣＳＩ−ＲＳのその測定に基づいてＵＥによって選択され得る。
【表３】
2019537311.tif 000006
【００５２】
フィードバックフォーマット−３の場合、ＵＥが、異なるレイヤーについて異なるＴＲＰ、すなわち、第１のレイヤーについてＴＲＰ−１からのアンテナ、及び第２のレイヤーについてＴＲＰ−２からのアンテナを選択し得ることに留意されたい。
【００５３】
そのため、幾つかのフィードバックフォーマットは、種々のアンテナ構成のために構成され得る。
【００５４】
例示的な実施形態によれば、ネットワークノード及びＵＥは、以下の図７及び図８において述べるフロー図において示すように、例示的な方法を実施するように動作可能であり得る。
【００５５】
図７は、複数ドメインに関連するＣＳＩを処理するＵＥ（例えば、ＵＥ１０２）と相互作用するためにネットワークノード（例えば、ネットワークノード１０４）によって実施され得る例示的な方法を示すフロー図７００である。方法はステップ７０５にて始まり得、ネットワークノード１０４は、ＵＥが複数入力複数出力チャネルを複数ドメイン（例えば、Ｈ、Ｖ、及びＵドメイン）に分解したことを示す信号をＵＥ１０２から受信し得る。
【００５６】
ステップ７１０にて、ネットワークノード１０４は、ＵＥが複数ドメインを測定するために別個のＣＳＩ−ＲＳリソースを構成し得る。
【００５７】
ネットワークノード１０４は、その後、ステップ７１５にて、ＵＥが複数ドメインの測定を容易にするために、ＣＳＩ−ＲＳリソースを示すメッセージをＵＥに送信し得る。ＣＳＩ−ＲＳがＵＥ１０２に送出されると、ＵＥは、どのドメインを傾聴し評価するかについて指令され得る。ここで、メッセージは、フィードバックフォーマットの群も含み得る。
【００５８】
ステップ７２０にて、ネットワークノード１０４は、（例えば、複数ドメインについて構成されたＣＳＩ−ＲＳリソースを使用して）それぞれのドメインについて構成されたＣＳＩ−ＲＳリソース上でＣＳＩ−ＲＳを送信し得る。（例えば、ＣＳＩ参照信号によって）トリガーされると、ＵＥは、ネットワークノードから受信されるＣＳＩ−ＲＳリソース構成に基づいて複数のドメインのそれぞれのドメインについてＣＳＩ−ＲＳを測定し得る。ＵＥは、ＣＳＩを計算し、それぞれのドメインに関連するＣＳＩを含むフィードバックフォーマットを選択する。
【００５９】
ステップ７２５にて、ネットワークノード１０４は、複数のドメインについてのＣＳＩを含むフィードバックフォーマットを含むフィードバックをＵＥから受信し得る。この情報は、ランクの指示（例えば、ＬＴＥにおけるＲＩ）、品質の指示子（例えば、ＬＴＥにおけるＣＱＩ）、及びＣＳＩの指示子（例えば、ＬＴＥにおけるＰＭＩ）を含み得る。
【００６０】
ステップ７３０にて、ネットワークノード１０４は、フィードバックの復号に基づいて、伝送プロトコルを選択することを含んで、伝送パラメーターを決定し得る。
【００６１】
伝送パラメーターが決定されると、ネットワークノードは、ステップ７３５にて、パラメーターをＵＥ１０２に送信し得る。
【００６２】
ステップ７４０にて、ネットワークノード１０４は、複数ドメインについてのチャネル状態をここでは考慮し得るデータトラフィックをチャネル上でＵＥ１０２に送信し得る。
【００６３】
図８は、複数ドメイン（例えば、Ｈ、Ｖ、及びＵドメイン）についてのチャネル状態を考慮する伝送を構成し受信するためにネットワークノード１０４と相互作用するユーザー機器（例えば、ＵＥ１０２）によって実施される例示的な方法のフロー図８００を示す。
【００６４】
方法は、ステップ８０５にて始まり得、ＵＥ１０２はＭＩＭＯチャネルを複数ドメインに分解し得る。
【００６５】
ステップ８１０にて、ＵＥ１０２は、ＵＥ１０２がＭＩＭＯチャネルを複数ドメインに分解したことを示すメッセージをネットワークノード１０４に送信し得る。ネットワークノード１０４がメッセージを受信すると、ネットワークノード１０４は、ＵＥ１０２が複数ドメイン上で測定するために別個のＣＳＩ−ＲＳリソースを構成し得る。基地局は、その後、ＵＥが複数ドメイン上で測定するためのＣＳＩ−ＲＳリソースを示すメッセージをＵＥ１０２に送信する。このメッセージは、例えば、ＲＲＣ（無線リソースコントローラー）構成メッセージであり得る。また、このＲＲＣメッセージは、ＵＥ１０２がそこから選択するフィードバックフォーマット又はフィードバックフォーマットのセットを含み得る。
【００６６】
ＵＥ１０２は、ステップ８１５にて、ネットワークノード１０４からＣＳＩ−ＲＳリソース構成を受信し得る。ネットワークノード１０４は、それぞれのドメインについて構成されるＣＳＩ−ＲＳリソース上でＣＳＩ−ＲＳを送信し得る。
【００６７】
ステップ８２０にて、ＵＥ１０２は、複数ドメインについてＣＳＩ−ＲＳを測定（例えば、評価）し得る。
【００６８】
ステップ８２５にて、ＵＥ１０２は、その測定に基づいて、複数ドメインについてＣＳＩを決定し、フィードバックフォーマットを選択し得る。そのフィードバックフォーマットは、ネットワークノード１０４によって送出される群から、複数ドメインについて選択され得る。
【００６９】
ＵＥ１０２は、その後、ステップ８３０にて、選択されたフィードバックフォーマットを含むフィードバックをネットワークノード１０４に送信し得る。フィードバックフォーマットはそれぞれのドメインについてのＣＳＩを含み得る。ネットワークノード１０４がフィードバックを受信すると、ネットワークノード１０４は、ネットワークノード１０４とＵＥ１０２との間の伝送についての伝送パラメーターを決定し得る。
【００７０】
ステップ８３５にて、ＵＥ１０２は、（例えば、無線ネットワークのダウンリンク制御チャネルを通して）ネットワークノードから伝送スケジューリングパラメーターを受信し得る。ステップ８４０にて、ＵＥ１０２は、複数ドメインをここではよりよく反映する伝送パラメーターに従って、ネットワークノード１０４からデータを受信し得る。
【００７１】
ここで図９を参照すると、本明細書で述べる幾つかの実施形態に従ってネットワークに接続することが可能なモバイルデバイス９００であり得るユーザー機器（例えば、ＵＥ１０２）等の例示的なエンドユーザーデバイスの概略的なブロック図が示される。モバイルハンドセット９００が本明細書で示されるが、他のデバイスがモバイルデバイスであり得ること、及び、モバイルハンドセット９００が、本明細書に述べる種々の実施形態のうちの実施形態についてのコンテキストを提供するために単に示されることが理解されるであろう。以下の議論は、種々の実施形態がそこで実装され得る、適した環境９００の例についての簡潔で一般的な説明を提供することを意図される。説明は、機械可読記憶媒体上で具現化されるコンピューター実行可能命令の一般的なコンテキストを含むが、革新が、他のプログラムモジュールと組合せて及び／又はハードウェア及びソフトウェアの組合せとしても実装され得ることを当業者は認識するであろう。
【００７２】
一般に、アプリケーション（例えば、プログラムモジュール）は、特定のタスクを実施するか又は特定の抽象データ型を実装する、ルーチン、プログラム、コンポーネント、データ構造等を含み得る。さらに、本明細書で述べる方法が、他のシステム構成であって、それぞれが、１つ以上の関連するデバイスに動作可能に結合され得る、単一プロセッサ又はマルチプロセッサシステム、ミニコンピューター、メインフレームコンピューター、並びに、パーソナルコンピューター、ハンドヘルドコンピューティングデバイス、マイクロプロセッサベース又はプログラマブル消費者向け電子機器等を備える、他のシステム構成によって実施され得ることを当業者は理解するであろう。
【００７３】
コンピューティングデバイスは、通常、種々の機械可読媒体を含み得る。機械可読媒体は、コンピューターによってアクセスされ得る任意の入手可能な媒体である可能性があり、揮発性及び不揮発性媒体、取外し可能及び取外し不能媒体の両方を備える。制限としてではなく例として、コンピューター可読媒体は、コンピューター記憶媒体及び通信媒体を含み得る。コンピューター記憶媒体は、コンピューター可読命令、データ構造、プログラムモジュール、又は他のデータ等の情報を記憶するための任意の方法又は技術で実装される、揮発性及び／又は不揮発性媒体、取外し可能及び／又は取外し不能媒体を含み得る。コンピューター記憶媒体は、ＲＡＭ、ＲＯＭ、ＥＥＰＲＯＭ、フラッシュメモリ若しくは他のメモリ技術、ＣＤＲＯＭ、デジタルビデオディスク（ＤＶＤ）若しくは他の光ディスク記憶装置、磁気カセット、磁気テープ、磁気ディスク記憶装置若しくは他の磁気記憶デバイス、又は、所望の情報を記憶するために使用され得、かつ、コンピューターによってアクセスされ得る任意の他の媒体を含み得るが、それに限定されない。
【００７４】
通信媒体は、通常、搬送波又は他の輸送機構等の被変調データ信号内で、コンピューター可読命令、データ構造、プログラムモジュール、又は他のデータを具現化し、任意の情報送達媒体を備える。用語「被変調データ信号（modulated data signal）」は、信号であって、その信号内に情報を符号化するように設定又は変更されたその特性のうちの１つ以上を有する、信号を意味する。制限としてではなく例として、通信媒体は、有線ネットワーク又は直結される接続等の有線媒体、及び、音響、ＲＦ、赤外線、及び他のワイヤレス媒体等のワイヤレス媒体を含む。上記のうちの任意のものの組合せも、コンピューター可読媒体の範囲に含まれるべきである。
【００７５】
ハンドセット９００は、全てのオンボード動作及び機能を制御し処理するためのプロセッサ９０２を備える。メモリ９０４は、データ及び１つ以上のアプリケーション９０６（例えば、ビデオプレイヤーソフトウェア、ユーザーフィードバックコンポーネントソフトウェア等）を記憶するためにプロセッサ９０２にインターフェースする。他のアプリケーションは、ユーザーフィードバック信号の始動を容易にする所定の音声コマンドの音声認識を含み得る。アプリケーション９０６は、メモリ９０４及び／又はファームウェア９０８に記憶され、メモリ９０４及び／又はファームウェア９０８のいずれか又は両方からプロセッサ９０２によって実行され得る。ファームウェア９０８は、ハンドセット９００を初期化するときに実行するためのスタートアップコードも記憶し得る。通信コンポーネント９１０は、外部システム、例えば、セルラーネットワーク、ＶｏＩＰネットワーク等との有線／ワイヤレス通信を容易にするためにプロセッサ９０２にインターフェースする。ここで、通信コンポーネント９１０は、信号通信に対応するために、適したセルラートランシーバー９１１（例えば、ＧＳＭトランシーバー）及び／又は免許不要トランシーバー９１３（例えば、Ｗｉ−Ｆｉ、ＷｉＭａｘ）も含み得る。ハンドセット９００は、セルラーフォン、モバイル通信能力を有するＰＤＡ、及びメッセージングセントリックデバイス等のデバイスであり得る。また、通信コンポーネント９１０は、地上無線ネットワーク（例えば、ブロードキャスト）、デジタル衛星無線ネットワーク、及びインターネットベース無線サービスネットワークからの通信受信を容易にする。
【００７６】
ハンドセット９００は、テキスト、画像、ビデオ、電話機能（例えば、呼出し側ＩＤ機能）、セットアップ機能を表示するための、また、ユーザー入力のためのディスプレイ９１２を備える。例えば、ディスプレイ９１２は、マルチメディアコンテンツ（例えば、音楽メタデータ、メッセージ、壁紙、グラフィクス等）の提示を収容し得る「スクリーン（screen）」も呼ばれ得る。ディスプレイ９１２は、ビデオも表示し得、ビデオクオート（video quote）の生成、編集、及び共有を容易にし得る。シリアルＩ／Ｏインターフェース９１４は、プロセッサ９０２と通信状態で設けられて、ハードワイヤ接続及び他のシリアル入力デバイス（例えば、キーボード、キーパッド、及びマウス）を通した有線及び／又はワイヤレスシリアル通信（例えば、ＵＳＢ及び／又はＩＥＥＥ  １３９４）を容易にする。これは、例えば、ハンドセット９００を更新すること及びトラブルシューティングすることをサポートする。オーディオ能力は、オーディオＩ／Ｏコンポーネント９１６によって提供され、オーディオＩ／Ｏコンポーネント９１６は、例えば、ユーザーフィードバック信号を始動するために適切なキー又はキー組合せをユーザーが押したという指示に関連するオーディオ信号を出力するためのスピーカーを含み得る。また、オーディオＩ／Ｏコンポーネント９１６は、データ及び／又は電話音声データを記録するために、また、電話会話のための音声信号を入力するために、マイクロフォンを通したオーディオ信号の入力を容易にする。
【００７７】
ハンドセット９００は、カード型加入者識別モジュール（ＳＩＭ：Subscriber Identity Module）又はユニバーサルＳＩＭ９２０のフォームファクターのＳＩＣ（Subscriber Identity Component（加入者識別コンポーネント））を収容するための、また、ＳＩＭカード９２０をプロセッサ９０２にインターフェースするためのスロットインターフェース９１８を含み得る。しかし、ＳＩＭカード９２０がハンドセット９００に入るように製造され、データ及びソフトウェアをダウンロードすることによって更新され得ることが理解される。
【００７８】
ハンドセット９００は、通信コンポーネント９１０を通してＩＰデータトラフィックを処理して、ＩＳＰ又はブロードバンドケーブルプロバイダーを通して、例えば、インターネット、企業イントラネット、ホームネットワーク、パーソナルエリアネットワーク等のようなＩＰネットワークからＩＰトラフィックを収容し得る。そのため、ＶｏＩＰトラフィックは、ハンドセット８００によって利用され得、ＩＰベースマルチメディアコンテンツは、符号化フォーマット又は復号フォーマットで受信され得る。
【００７９】
ビデオ処理コンポーネント９２２（例えば、カメラ）は、符号化されたマルチメディアコンテンツを復号するために設けられ得る。ビデオ処理コンポーネント９２２は、ビデオクオートの生成、編集、及び共有を容易にするのを支援し得る。ハンドセット９００は、電池及び／又はＡＣ電力サブシステムの形態の電力源９２４も備え、その電力源９２４は、電力Ｉ／Ｏコンポーネント９２６によって外部電力システム又は充電機器（図示せず）にインターフェースし得る。
【００８０】
ハンドセット９００は、受信されたビデオコンテンツを処理し、ビデオコンテンツを記録し送信するためのビデオコンポーネント９３０も含み得る。例えば、ビデオコンポーネント９３０は、ビデオクオートの生成、編集、及び共有を容易にし得る。ロケーショントラッキングコンポーネント９３２は、ハンドセット９００を地理的に位置特定することを容易にする。上記で述べたように、これは、ユーザーがフィードバック信号を自動的に又は手動で始動するときに起こり得る。ユーザー入力コンポーネント９３４は、ユーザーが品質フィードバック信号を始動することを容易にする。ユーザー入力コンポーネント９３４も、ビデオクオートの生成、編集、及び共有を容易にし得る。ユーザー入力コンポーネント９３４は、例えば、キーパッド、キーボード、マウス、スタイラスペン、及び／又は、タッチスクリーン等のこうした従来の入力デバイス技術を含み得る。
【００８１】
やはりアプリケーション９０６を参照すると、ヒステリシスコンポーネント９３６は、アクセスポイントに関連付けるときを決定するために利用されるヒステリシスデータの解析及び処理を容易にする。Ｗｉ−Ｆｉトランシーバー９１３がアクセスポイントのビーコンを検出するとヒステリシスコンポーネント９３６のトリガリングを容易にするソフトウェアトリガーコンポーネント９３８が設けられ得る。ＳＩＰクライアント９４０は、ハンドセット９００が、ＳＩＰプロトコルをサポートし、ＳＩＰレジスターサーバーによって加入者を登録することを可能にする。アプリケーション９０６は、マルチメディアコンテンツ、例えば、音楽の、少なくとも発見、再生、及び記憶の能力を提供するクライアント９４２も含み得る。
【００８２】
ハンドセット９００は、通信コンポーネント８１０に関連して上記で示したように、室内ネットワーク無線トランシーバー９１３（例えば、Ｗｉ−Ｆｉトランシーバー）を備える。この機能は、デュアルモードＧＳＭハンドセット９００についてＩＥＥＥ  ８０２．１１等の室内無線リンクをサポートする。ハンドセット９００は、ワイヤレス音声及びデジタル無線チップセットを組合せて単一ハンドヘルドデバイスにし得るハンドセットを通して少なくとも衛星無線サービスを収容し得る。
【００８３】
ここで図１０を参照すると、述べた例示的な実施形態において実施される機能及び動作を実行するように動作可能なコンピューター１０００のブロック図が示される。例えば、ネットワークノード（たとえな、ネットワークノード１０４）は、図１０に述べるコンポーネントを含み得る。コンピューター１０００は、有線又はワイヤレス通信ネットワークと、サーバー及び／又は通信デバイスとの間のネットワーク接続及び通信能力を提供し得る。その種々の態様について更なるコンテキストを提供するために、図１０及び以下の議論は、革新の種々の態様が実装されて、エンティティと第３者との間のトランザクションの確立を容易にし得る、適したコンピューティング環境の簡潔で一般的な説明を提供することを意図される。上記説明は、１つ以上のコンピューター上で実行され得るコンピューター実行可能命令の一般的なコンテキスト内にあるが、革新が、他のプログラムモジュールと組合せて及び／又はハードウェア及びソフトウェアの組合せとしても実装され得ることを当業者は認識するであろう。
【００８４】
一般に、プログラムモジュールは、特定のタスクを実施する又は特定の抽象データ型を実装する、ルーチン、プログラム、コンポーネント、データ構造等を含む。さらに、本発明の方法が、他のコンピューターシステム構成であって、それぞれが、１つ以上の関連するデバイスに動作可能に結合され得る、単一プロセッサ又はマルチプロセッサコンピューターシステム、ミニコンピューター、メインフレームコンピューター、及び、パーソナルコンピューター、ハンドヘルドコンピューティングデバイス、マイクロプロセッサベース又はプログラマブル消費者向け電子機器等を備える、他のコンピューターシステム構成によって実施され得ることを当業者は理解するであろう。
【００８５】
革新の例示される態様は、或る特定のタスクが通信ネットワークを通してリンクされる遠隔処理デバイスによって実行される分散コンピューティング環境において実施することもできる。分散コンピューティング環境では、プログラムモジュールをローカルメモリ記憶デバイス及びリモートメモリ記憶デバイス内の両方に配置することができる。
【００８６】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００８７】
コンピューター可読記憶媒体は、コンピューターによってアクセスすることができる任意の入手可能な記憶媒体とすることができ、揮発性及び不揮発性媒体、取外し可能及び取外し不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光ディスク記憶装置、磁気カセット、磁気テープ、磁気ディスク記憶装置若しくは他の磁気記憶デバイス、又は所望の情報を記憶するために用いることができる他の有形及び／又は非一時的媒体を含むことができる。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【００８８】
通信媒体は、被変調データ信号、例えば、搬送波又は他の搬送機構等のデータ信号において、コンピューター可読命令、データ構造、プログラムモジュール又は他の構造化若しくは非構造化データを具現することができ、任意の情報送達又は搬送媒体を含む（正：comprise）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、及び音響、ＲＦ、赤外線及び他のワイヤレス媒体等のワイヤレス媒体を含む。
【００８９】
図１０を参照すると、エンドユーザーデバイスに関して本明細書で述べる種々の態様を実装することは、処理ユニット１００４、システムメモリ１００６、及びシステムバス１００８を備えるコンピューター１０００を含み得る。システムバス１００８は、システムメモリ１００６を備えるシステムコンポーネントを処理ユニット１００４に結合する。処理ユニット１００４は種々の市販のプロセッサのうちのいずれかとすることができる。処理ユニット１００４として、デュアルマイクロプロセッサ及び他のマルチプロセッサアーキテクチャも利用することができる。
【００９０】
システムバス１００８は、種々の市販のバスアーキテクチャのいずれかを用いて、メモリバス（メモリコントローラーを備えるか、又は備えない）、周辺機器用バス及びローカルバスに更に相互接続することができる幾つかのタイプのバス構造のいずれかとすることができる。システムメモリ１００６は、リードオンリーメモリ（ＲＯＭ）１０２７及びランダムアクセスメモリ（ＲＡＭ）１０１２を含む。ＲＯＭ、ＥＰＲＯＭ、ＥＥＰＲＯＭ等の不揮発性メモリ１０２７内に基本入出力システム（ＢＩＯＳ）が記憶され、ＢＩＯＳは、起動中等に、コンピューター１０００内の要素間で情報を転送するのを助ける基本ルーチンを含む。ＲＡＭ１０１２は、データをキャッシュするためのスタティックＲＡＭ等の高速ＲＡＭも含むことができる。
【００９１】
コンピューター１０００は、適切なシャーシ（図示せず）において外部で使用するように構成することもできる内部ハードディスクドライブ（ＨＤＤ）１０１４（例えば、ＥＩＤＥ、ＳＡＴＡ）と、磁気フロッピーディスクドライブ（ＦＤＤ）１０１６（例えば、取外し可能ディスケット１０１８に対する読出し又は書込み用）と、光ディスクドライブ１０２０（例えば、ＣＤ−ＲＯＭディスク１０２２の読出し、又はＤＶＤのような他の大容量光学媒体に対する読出し若しくは書込み用）とを更に含む。ハードディスクドライブ１０１４、磁気ディスクドライブ１０１６及び光ディスクドライブ１０２０はそれぞれ、ハードディスクドライブインターフェース１０２４、磁気ディスクドライブインターフェース１０２６及び光ドライブインターフェース１０２８によって、システムバス１００８に接続することができる。外部ドライブを実現するためのインターフェース１０２４は、ユニバーサルシリアルバス（ＵＳＢ）及びＩＥＥＥ１２９４インターフェース技術のうちの少なくとも一方又は両方を含む。他の外部ドライブ接続技術も本革新の考慮の範囲内にある。
【００９２】
ドライブ及びその関連するコンピューター可読媒体は、データ、データ構造、コンピューター実行可能命令等の不揮発性記憶を提供する。コンピューター１０００の場合、ドライブ及び媒体は、適切なデジタルフォーマットにおいて任意のデータの記憶に対応する。上記のコンピューター可読媒体の説明は、ＨＤＤ、取外し可能磁気ディスケット、及びＣＤ又はＤＶＤ等の取外し可能光媒体を参照するが、ジップドライブ、磁気カセット、フラッシュメモリカード、カートリッジ等の、コンピューター１０００によって読出し可能である他のタイプの媒体も例示的な動作環境において使用できること、更に任意のそのような媒体が、開示される革新の方法を実行するためのコンピューター実行可能命令を含むことができることは、当業者には理解されたい。
【００９３】
ドライブ及びＲＡＭ１０１２内に、オペレーティングシステム１０３０、１つ以上のアプリケーションプログラム１０３２、他のプログラムモジュール１０３４及びプログラムデータ１０３６を含む、複数のプログラムモジュールを記憶することができる。オペレーティングシステム、アプリケーション、モジュール及び／又はデータの全て又は一部をＲＡＭ１０１２にキャッシュすることもできる。革新が、種々の市販のオペレーティングシステム又はオペレーティングシステムの組合せによって実装され得ることが理解される。
【００９４】
ユーザーは、１つ以上の有線／ワイヤレス入力デバイス、例えば、キーボード１０３８及びマウス１０４０等のポインティングデバイスを通して、コンピューター１０００にコマンド及び情報を入力することができる。他の入力デバイス（図示せず）は、マイクロフォン、ＩＲ遠隔制御、ジョイスティック、ゲームパッド、スタイラスペン、タッチスクリーン等を含むことができる。これらの入力デバイス及び他の入力デバイスは、多くの場合に、システムバス１００８に結合される入力デバイスインターフェース１０４２を通して処理ユニット１００４に接続されるが、パラレルポート、ＩＥＥＥ２３９４シリアルポート、ゲームポート、ＵＳＢポート、ＩＲインターフェース等の他のインターフェースによって接続することもできる。
【００９５】
モニター１０４４又は他のタイプのディスプレイデバイスも、ビデオアダプター１０４６等のインターフェースを介して、システムバス１００８に接続することができる。モニター１０４４に加えて、コンピューター１０００は通常、スピーカー、プリンター等の他の周辺出力デバイス（図示せず）を含む。
【００９６】
コンピューター１０００は、リモートコンピューター（複数の場合もある）１０４８等の１つ以上のリモートコンピューターとの有線及び／又はワイヤレス通信を介しての論理接続を用いてネットワーク化された環境において動作することができる。リモートコンピューター（複数の場合もある）１０４８は、ワークステーション、サーバーコンピューター、ルーター、パーソナルコンピューター、ポータブルコンピューター、マイクロプロセッサ内蔵娯楽機器、ピアデバイス又は他の共通ネットワークノードとすることができ、通常、コンピューターに関して説明される要素の多く又は全てを含むが、簡潔にするために、１つのメモリ／記憶デバイス１０５０のみが示される。図示される論理接続は、ローカルエリアネットワーク（ＬＡＮ）１０５２及び／又はより大きなネットワーク、例えば、ワイドエリアネットワーク（ＷＡＮ）１０５４への有線／ワイヤレス接続を含む。そのようなＬＡＮ及びＷＡＮネットワーク化環境はオフィス及び企業では一般的であり、その全てがグローバル通信ネットワーク、例えば、インターネットに接続することができるイントラネット等の企業規模のコンピューターネットワークを容易にする。
【００９７】
ＬＡＮネットワーク化環境において用いられるときに、コンピューター１０００は、有線及び／又はワイヤレス通信ネットワークインターフェース又はアダプター１０５６を通して、ローカルネットワーク１０５２に接続される。アダプター１０５６は、ＬＡＮ１０５２との有線又はワイヤレス通信を容易にすることができ、ＬＡＮは、そこに配置され、ワイヤレスアダプター１０５６と通信するためのワイヤレスアクセスポイントも含むことができる。
【００９８】
ＷＡＮネットワーク化環境において用いられるときに、コンピューター１０００は、モデム１０５８を含むことができるか、又はＷＡＮ１０５４上の通信サーバーに接続されるか、又は例えばインターネットによって、ＷＡＮ１０５４を介して通信を確立するための他の手段を有する。モデム１０５８は、内部又は外部、及び有線又はワイヤレスデバイスとすることができ、入力デバイスインターフェース１０４２を介して、システムバス１００８に接続される。ネットワーク化された環境では、コンピューターに関して図示されるプログラムモジュール又はその一部は、リモートメモリ／記憶デバイス１０５０に記憶することができる。図示されるネットワーク接続は例であり、コンピューター間に通信リンクを確立する他の手段を用いることができることは理解されよう。
【００９９】
コンピューターは、ワイヤレス通信において動作可能に配置される任意のワイヤレスデバイス又はエンティティ、例えば、プリンター、スキャナー、デスクトップ及び／又はポータブルコンピューター、ポータブルデータアシスタント、通信衛星、ワイヤレスで検出可能なタグに関連付けられる任意の機器又は場所（例えば、キオスク、ニューススタンド、化粧室）、及び電話と通信するように動作可能である。これは、少なくともワイヤレスＷｉ−Ｆｉ及びＢｌｕｅｔｏｏｔｈ（商標）ワイヤレス技術を含む。このようにして、通信は、従来のネットワーク、又は単に少なくとも２つのデバイス間のアドホック通信の場合のような規定された構造とすることができる。
【０１００】
Ｗｉ−Ｆｉ、すなわちワイヤレスフィディリティによって、自宅の長椅子から、ホテルの部屋のベッドから、又は仕事中に会議室から、ワイヤレスでインターネットに接続できるようになる。Ｗｉ−Ｆｉは携帯電話において使用されるのに類似のワイヤレス技術であり、それにより、そのようなデバイス、例えば、コンピューターが、基地局の範囲内の屋内外いずれの場所にもデータを送信及び受信できるようになる。Ｗｉ−Ｆｉネットワークは、安全で、信頼性があり、高速のワイヤレス接続性を提供するために、ＩＥＥＥ８０２．１１（ａ、ｂ、ｇ、ｎ等）と呼ばれる無線技術を使用する。Ｗｉ−Ｆｉネットワークを用いて、コンピューターを互いに、インターネットに、そして有線ネットワーク（ＩＥＥＥ８０２．３又はイーサネットを使用する）に接続することができる。Ｗｉ−Ｆｉネットワークは、例えば、免許不要２．４ＧＨｚ及び５ＧＨｚ無線帯域において、１１Ｍｂｐｓ（８０２．１１ｂ）若しくは５４Ｍｂｐｓ（８０２．１１ａ）データレートで動作するか、又は両方の帯域（デュアルバンド）を含む製品を用いて動作するので、ネットワークは、多くのオフィスにおいて使用される基本「１０ＢａｓｅＴ」有線イーサネットネットワークに類似の実世界性能を提供することができる。
【０１０１】
本出願で使用されるとき、用語「システム」、「コンポーネント」、「インターフェース」等は、コンピューター関連エンティティ又は１つ以上の特定の機能を有する作業機械に関連するエンティティを指すことを概して意図される。本明細書で開示されるエンティティは、ハードウェア、ハードウェアとソフトウェアとの組合せ、ソフトウェア、又は実行中ソフトウェアであり得る。例えば、コンポーネントは、プロセッサ上で実行されるプロセス、プロセッサ、オブジェクト、実行ファイル、実行スレッド、プログラム、及び／又はコンピューターであり得るが、それに限定されない。例証として、サーバー上で実行されるアプリケーション及びサーバーはコンポーネントであり得る。１つ以上のコンポーネントは、プロセス及び／又は実行スレッド内に常駐し得、コンポーネントは、１つのコンピューター上に位置し得る及び／又は２つ以上のコンピューターの間に分散し得る。これらのコンポーネントは、種々のデータ構造がその上に記憶されている種々のコンピューター可読記憶媒体からも実行され得る。コンポーネントは、１つ以上のデータパケット（例えば、ローカルシステム内で、分散システム内で、及び／又は、信号による他のシステムに関するインターネット等のネットワークにわたって別のコンポーネントと相互作用する１つのコンポーネントからのデータ）を含む信号に従って等で、ローカル及び／又はリモートプロセスを介して通信し得る。別の例として、コンポーネントは、プロセッサによって実行されるソフトウェア又はファームウェアアプリケーション（複数の場合もある）によって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行する。なお別の例として、コンポーネントは、機械部品なしで電子コンポーネントを通して特定の機能を提供する装置であり得る。その電子コンポーネントは、電子コンポーネントの機能を少なくとも部分的に与えるソフトウェア又はファームウェアを実行するために内部にプロセッサを備え得る。インターフェースは、入力／出力（Ｉ／Ｏ）コンポーネント、並びに、関連するプロセッサ、アプリケーション、及び／又はＡＰＩコンポーネントを含み得る。
【０１０２】
さらに、開示される主題は、標準的なプログラミング及び／又はエンジニアリング技法を使用して、方法、装置、又は製品として実装されて、ソフトウェア、ファームウェア、ハードウェア、又はその任意の組合せを生成し、それにより、開示される主題を実装するようにコンピューターを制御し得る。用語「製品（article of manufacture）」は、本明細書で使用するとき、任意のコンピューター可読デバイス、コンピューター可読キャリア、又はコンピューター可読媒体からアクセス可能なコンピュータープログラムを包含することを意図される。例えば、コンピューター可読媒体は、磁気記憶デバイス、例えば、ハードディスク；フロッピーディスク；磁気ストリップ（複数の場合もある）；光ディスク（例えば、コンパクトディスク（ＣＤ）、デジタルビデオディスク（ＤＶＤ）、ブルーレイディスク（商標）（ＢＤ））；スマートカード；フラッシュメモリデバイス（例えば、カード、スティック、キードライブ）；及び／又は、記憶デバイス及び／又は上記コンピューター可読媒体の任意の媒体をエミュレートする仮想デバイスを含み得るが、それに限定されない。
【０１０３】
本明細書で使用されるように、用語「プロセッサ」は、実質的に単一コアプロセッサを備える任意のコンピューティング処理ユニット又はデバイス；ソフトウェアマルチスレッド実行能力を有する単一プロセッサ；マルチコアプロセッサ；ソフトウェアマルチスレッド実行能力を有するマルチコアプロセッサ；ハードウェアマルチスレッド技術を有するマルチコアプロセッサ；並列プラットフォーム；及び分散共有メモリを有する並列プラットフォームを指し得る。さらに、プロセッサは、集積回路、特定用途向け集積回路（ＡＳＩＣ）、デジタル信号プロセッサ（ＤＳＰ）、フィールドプログラマブルゲートアレイ（ＦＰＧＡ）、プログラマブルロジックコントローラー（ＰＬＣ）、コンプレックスプログラマブルロジックデバイス（ＣＰＬＤ）、ディスクリートゲート又はトランジスタロジック、ディスクリートハードウェアコンポーネント、又は、本明細書で述べる機能を実施するように設計されたその任意の組合せを指し得る。プロセッサは、限定はしないが分子及び量子ドットベーストランジスタ、スイッチ、及びゲート等のナノスケールアーキテクチャを利用して、ＵＥの空間使用を最適化するか又は性能を向上させ得る。プロセッサは、コンピューティング処理ユニットの組合せとしても実装され得る。
【０１０４】
本明細書において、「ストア」、「データストア」、「データ記憶装置」、「データベース」、「レポジトリ」、「キュー」という用語、並びにコンポーネントの動作及び機能に関連する実質的に任意の他の情報記憶コンポーネントは、「メモリコンポーネント」、「メモリ」において具現されるエンティティ又はメモリを備えるコンポーネントを指している。本明細書において説明されるメモリコンポーネントは、揮発性メモリ若しくは不揮発性メモリのいずれかとすることができるか、又は揮発性及び不揮発性両方のメモリを含むことができることは理解されよう。さらに、メモリコンポーネント又はメモリ要素は、取外し可能又は固定であり得る。さらに、メモリは、デバイス又はコンポーネントの内部若しくは外部にあり得る、又は取外し可能又は固定であり得る。メモリは、ハードディスクドライブ、ジップドライブ、磁気カセット、フラッシュメモリカード、又は、他の型のメモリカード、カートリッジ等の、コンピューターによって可読である種々の型の媒体を含み得る。
【０１０５】
例示であって、限定はしないが、不揮発性メモリは、リードオンリーメモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）又はフラッシュメモリを含むことができる。揮発性メモリは、外部キャッシュメモリとしての役割を果たすランダムアクセスメモリ（ＲＡＭ）を含むことができる。例示であって、限定はしないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、ＳｙｎｃｈｌｉｎｋＤＲＡＭ（ＳＬＤＲＡＭ）及びｄｉｒｅｃｔ  ＲａｍｂｕｓＲＡＭ（ＤＲＲＡＭ）等の数多くの形において入手することができる。さらに、本明細書におけるシステム又は方法の開示されるメモリコンポーネントは、限定されないが、これらの、そして任意の他の適切なタイプのメモリを含むことを意図している。
【０１０６】
特に、また、上記で述べたコンポーネント、デバイス、回路、システム等によって実施される種々の機能に関して、こうしたコンポーネントを述べるために使用される用語（「手段」に対する参照を含む）は、実施形態の本明細書で示す例示的な態様における機能を実施する開示された構造と構造的に等価でなくても、別途指示されない限り、述べるコンポーネントの指定された機能（例えば、機能等価物）を実施する任意のコンポーネントに対応することを意図される。この点に関して、実施形態が、システム、並びに、種々の方法の行為及び／又は事象を実施するためのコンピューター実行可能命令を含むコンピューター可読媒体を備えることも認識されるであろう。
【０１０７】
コンピューティングデバイスは通常、種々の媒体を含み、それらの媒体はコンピューター可読記憶媒体及び／又は通信媒体を含むことができ、その２つの用語は、以下のように、本明細書において互いに異なるように使用される。コンピューター可読記憶媒体は、コンピューターによってアクセスすることができる任意の入手可能な記憶媒体とすることができ、揮発性及び不揮発性媒体、取外し可能及び取外し不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタル多用途ディスク（ＤＶＤ）若しくは他の光ディスク記憶装置、磁気カセット、磁気テープ、磁気ディスク記憶装置若しくは他の磁気記憶デバイス、又は所望の情報を記憶するために用いることができる他の有形及び／又は非一時的媒体を含むことができる。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【０１０８】
他方で、通信媒体は通常、被変調データ信号、例えば、搬送波又は他の搬送機構等のデータ信号において、コンピューター可読命令、データ構造、プログラムモジュール又は他の構造化若しくは非構造化データを具現し、任意の情報送達又は搬送媒体を含む（正：comprise）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、及び音響、ＲＦ、赤外線及び他のワイヤレス媒体等のワイヤレス媒体を含む。
【０１０９】
さらに、「ユーザー機器（user equipment）」、「ユーザーデバイス（user device）」、「モバイルデバイス（mobile device）」、「モバイル（mobile）」、「局（station）」、「アクセス端末（access terminal）」、「端末（terminal）」、「ハンドセット（handset）」等の専門用語のような用語は、概して、データ、コントロール、音声、ビデオ、音、ゲーミング、又は実質的に任意のデータストリーム若しくはシグナリングストリームを受信又は伝達するためにワイヤレス通信ネットワーク又はサービスの加入者又はユーザーによって利用されるワイヤレスデバイスを指す。上記用語は、本明細書及び関連する図面において交換可能に利用される。同様に、用語「アクセスポイント（access point）」、「ノードＢ（node B）」、「基地局（base station）」、「イボルブドノードＢ（evolved Node B）」、「セル（cell）」、「セルサイト（cell site）」等は、本出願において交換可能に利用され、加入者局のセットから、データ、コントロール、音声、ビデオ、音、ゲーミング、又は実質的に任意のデータストリーム若しくはシグナリングストリームを提供し受信するワイヤレスネットワークコンポーネント又はアプライアンスを指し得る。データ及びシグナリングストリームは、パケット化された又はフレームベースのフローであり得る。本明細書及び図面において、コンテキスト又は明示的区別が、屋外環境におけるモバイルデバイスからデータを提供し受信するアクセスポイント又は基地局と、屋外カバレッジエリア内に重なる主に屋内の限定された環境において動作するアクセスポイント又は基地局とに関する差異化を提供することが留意される。データ及びシグナリングストリームは、パケット化された又はフレームベースのフローであり得る。
【０１１０】
さらに、用語「ユーザー」、「加入者」、「顧客（customer）」、「消費者（consumer）」等は、コンテキストが用語の間で特定の区別（複数の場合もある）を保証しない限り、本明細書全体を通して交換可能に使用される。こうした用語が、人間エンティティ、関連するデバイス、又は、シミュレートされたビジョン、音認識等を提供し得る人工知能（例えば、複雑な数学公式（complex mathematical formalism）に基づいて推論する能力）を通してサポートされる自動化コンポーネントを指し得ることが理解されるべきである。さらに、用語「ワイヤレスネットワーク」及び「ネットワーク」は、本明細書において交換可能に使用され、用語が利用されるコンテキストが、明確にするために区別を保証するとき、こうした区別は明示的になる。
【０１１１】
さらに、「例示的」という言葉は、使用される場合、事例又は例示としての役割を果たすことを意味するために本明細書において使用される。本明細書において「例示的」として説明されたいかなる実施形態又は設計も、必ずしも、他の態様又は設計より好ましいか、又は有利であると解釈されるべきではない。むしろ、例示的という言葉を使用することは、概念を具体的に提示することを意図している。本出願において使用されるときに、「又は」という用語は、排他的な「又は」ではなく、包含的な「又は」を意味することを意図している。すなわち、別段の指示がない限り、又は文脈において明らかでない限り、「ＸがＡ又はＢを利用する」は、自然な包含的置換のいずれかを意味することを意図している。すなわち、ＸがＡを利用する、ＸがＢを利用する、又はＸがＡ及びＢの両方を利用する場合には、上記の事例のうちのいずれのもとにおいても、「Ｘが、Ａ又はＢを利用する」が満たされる。さらに、本出願及び添付の特許請求の範囲において用いられる冠詞「一（"a" and "an"）」は、一般に、別段の指示がない限り又は単数形を対象とすることが文脈から明らかでない限り、「１つ以上」を意味すると解釈されるべきである。
【０１１２】
さらに、特定の特徴が、幾つかの実装態様の１つだけに関して開示されているが、こうした特徴が、任意の所与の又は特定の用途について所望されかつ有利である場合があるように、他の実装態様の１つ以上の他の特徴と組合され得る。さらに、用語「有する（have）」、「有している（having）」、「含む（includes）」、及び「含んでいる（including）」、並びにその変形が詳細な説明又は特許請求の範囲において使用される限り、これらの用語は、用語「備えている（comprising）」と同様の方法で包含的であることを意図される。
【０１１３】
主題の開示の種々の実施形態及び対応する図の上記説明並びに要約に述べられるものは、例証のために本明細書に記載され、網羅的であること、又は、開示される実施形態を、開示される厳密な形態に制限することを意図されない。修正、並べ替え、組合せ、及び追加を含む他の実施形態が、開示される主題の、同じ、同様の、代替の、又は置換えの機能を実施するために実装され得、したがって、本開示の範囲内で考えられることを当業者が認識し得ることが理解される。したがって、開示される主題は、本明細書で述べる任意の単一の実施形態に限定されるべきであるのではなく、むしろ、添付の特許請求の範囲による範囲内にあると解釈されるべきである。
【図１】
2019537311.tif 000007
【図２】
2019537311.tif 000008
【図３Ａ】
2019537311.tif 000009
【図３Ｂ】
2019537311.tif 000010
【図３Ｃ】
2019537311.tif 000011
【図４】
2019537311.tif 000012
【図５】
2019537311.tif 000013
【図６】
2019537311.tif 000014
【図７】
2019537311.tif 000015
【図８】
2019537311.tif 000016
【図９】
2019537311.tif 000017
【図１０】
2019537311.tif 000018
【国際調査報告】
2019537311.tif 000019
2019537311.tif 000020
2019537311.tif 000021